(57)【要約】  運動媒体（１２２）を封入しており、高エネルギー、例えば紫外線により触媒作用で分解する泡（１２４）が、宇宙に打ち上げるためのペイロードを形成し、到来ミサイルまたは他の目標（１４０、１４２）を迎撃するために超軽量手段を提供する。分解された泡は、（目標において媒体の必要とされる密度を保つような設計レートで）運動媒体を放出して、目標を迎撃し、破壊する。分解する泡の使用は、著しく重量および費用を減らし、目標を破壊する成功確率を向上させる。【選択図】      図１
2008517248.tif 000002
【特許請求の範囲】
【請求項１】
目標（１４０、１４２）を迎撃するためにビークル（１１０）により宇宙に発射させる運動媒体ペイロード（１２０）において、
前記運動媒体ペイロードは、高エネルギー電磁放射により分解可能な泡（１２４）によって少なくとも部分的に囲まれた運動媒体（１２２）を具備する運動媒体ペイロード。
【請求項２】
前記高エネルギー電磁放射は、約１０-6メートルより小さい請求項１記載の運動媒体ペイロード（１２０）。
【請求項３】
前記高エネルギー電磁放射は、紫外放射である請求項２記載の運動媒体ペイロード（１２０）。
【請求項４】
前記分解可能な泡（１２４）は、発泡ポリスチレン、押し出し成形ポリスチレン、ポリエチレン、ポリプロピレン、プロピレン共重合体およびポリウレタンからなるグループから選択される重合体を含む請求項１記載の運動媒体ペイロード（１２０）。
【請求項５】
前記分解可能な泡（１２４）は、遊離基開始剤を含む請求項１記載の運動媒体ペイロード（１２０）。
【請求項６】
前記遊離基開始剤は、前記高エネルギー放射にさらされるときに、前記分解可能な泡（１２４）の分解を開始するのに十分な量で存在する請求項５記載の運動媒体ペイロード（１２０）。
【請求項７】
前記運動媒体（１２２）は、前記分解可能な泡（１２４）内に埋め込まれている請求項１記載の運動媒体ペイロード（１２０）。
【請求項８】
前記運動媒体（１２２）は、砂、炸裂弾、鉄榴散弾、非鉄榴散弾、プラスチック、長鎖重合体、爆発物、および前記目標を破壊するのに十分な密度のある有機体からなるグループから選択される請求項７記載の運動媒体ペイロード（１２０）。
【請求項９】
前記目標（１４０、１４２）は、大陸間弾道弾、大陸間弾道弾デコイ、遠隔ビークル、衛星、および不要な宇宙残骸からなるグループから選択される請求項１記載の運動媒体ペイロード（１２０）。
【請求項１０】
前記目標（１４０、１４２）を迎撃するために請求項１記載の前記ペイロード（１２０）を宇宙に発射させるビークルにおいて、
前記ペイロードは、前記ペイロードを少なくとも部分的に囲む前記分解可能な泡（１２４）内に含まれるビークル（１１０）。
【請求項１１】
前記目標（１４０、１４２）を迎撃するために請求項１記載の前記ペイロード（１２０）を配送する方法において、
前記分解可能な泡（１２４）で少なくとも部分的に前記運動媒体（１２２）を囲むことにより前記ペイロードを供給することと、
前記ペイロードを発射させることと、
いったん前記ペイロードが宇宙に入り、前記高エネルギー電磁放射にさらされることにより前記泡を分解することとを含む方法。
【発明の詳細な説明】
【関連出願への相互参照】
【０００１】
本出願は、２００４年８月１８日に出願されたシリアル番号１０／９２０，９７６の一部継続出願であり、その内容は参照によりここに組み込まれる。
【技術分野】
【０００２】
本発明は、一般的には、ペイロードが発射され、または宇宙において軌道を描いて回っているとき、制御された運動環境におけるペイロードコンテンツの散布を含むことに関し、より詳細には、ペイロードコンテンツの早すぎる散布（縦および横の両方に）を防ぎながら、ペイロードを封入し、サポートするため分解可能な構造のペイロード泡の使用により、重量を軽減し、振動から隔離し、およびクリティカルなペイロード要素のアライメントを維持することに関する。
【背景技術】
【０００３】
過去２０年に渡り、アメリカを含む国々は成長しつづける大陸間弾道弾（ＩＣＢＭ）の世界的な脅威を緩和するために防衛運動エネルギーキル兵器（ＫＷ）を考え，製造し、配備してきた。これらの反兵器のための兵器の多くは、ＩＣＢＭを捕捉し、弁別し、追尾し、および破壊するため、動的にリアルタイム制御される閉ループ目標検知追随装置／トラッカーを用いる。このような閉ループは、うまく実行するために重要な技術を必要とする。
【０００４】
この困難なアプローチに代わり、科学者は“ショットガンアプローチ”と呼ぶことができるものを考えた。この方法は、到来目標に向かい運動媒体の“パターン”を送り、単一の高速で動いている弾丸を、最先端技術を備えた高速で動いている到来弾丸に命中させるという問題を回避するものであり、制御された迎撃体（ＫＶ）アプローチである。この媒体を分散するショットガンアプローチには制限があり、すなわちほとんど衝突するまで“パターン”の散布を制限し、目標の破壊を確実にするために目標に十分な榴散弾を配送することである。
【０００５】
問題にしている目標は、ＩＣＢＭ、ＩＣＢＭデコイ、遠隔ビークル、衛星、および不要な宇宙残骸（軌道から外れて使用されていない衛星への使用を含む）を含むが、それだけに限られない。
【０００６】
運動媒体のペイロードが宇宙に打ち上げられるのを可能にし、散布制御された運動媒体の多数の目標への配送を容易にする超軽量の、適応できる手段を提供する必要がある。
【発明の開示】
【０００７】
本発明の観点にしたがうと、高エネルギー電磁放射により分解可能な泡に埋め込まれた、または少なくとも部分的に囲まれた運動媒体を有するペイロードが、ビークルにより宇宙に打ち上げられ、ミサイルを迎撃する。いったん宇宙に入り、泡が高エネルギー電磁放射にさらされ分解されると、ミサイルまたは他の目標を迎撃するための運動媒体が放出される。この技術は、目標に対して散布パターンを制御する低費用の方法であり、この技術により目標迎撃のより高い確率が保証され、さらには、検出でき、または危険な軌道を回る残骸を作り出さないことになる。
【０００８】
さらに本発明の観点にしたがうと、運動媒体を有するペイロードを宇宙に発射させ、ミサイルを迎撃するためのビークルが提供され、運動媒体は、少なくとも部分的にそれを囲む分解可能な泡に含まれている。
【０００９】
さらに本発明の観点にしたがうと、宇宙に打ち上げている間ペイロードを保護し、ミサイルを迎撃するための方法が提供される。その方法は、
高エネルギー電磁放射により分解可能な泡で部分的にペイロードを囲むことによりペイロードを保護することと、
ペイロードの構造の完全性およびアライメントを維持しながらペイロードを発射させることと、
いったん宇宙においてペイロードが高エネルギー電磁放射にさらされると泡を分解することとを含む。
【発明を実施するための最良モード】
【００１０】
宇宙に打ち上げられる運動媒体ペイロードを封入する紫外線の触媒作用により昇華する泡は、散布制御された運動媒体の多数の目標への配送を容易にする超軽量の、適応可能な手段を提供する。多数の目標は、例えば、ＩＣＢＭ、ＩＣＢＭデコイ、遠隔ビークル、衛星、および不要な宇宙残骸（軌道から外れて使用されていない衛星への使用を含む）などであるが、それだけに限られない。“運動媒体”は、選択された目標を無力にするためにクリティカルな量の運動エネルギーを有している何らかの材料を意味する。運動媒体の例として、シリコン粒子（元素として存在する）、シリコン合金、および酸化物ならびに炸裂弾、鉄および非鉄榴散弾、プラスチック、長鎖重合体、爆発物および上述した目標物を終らせる（すなわち、目標を破壊する）のに十分な設計密度を有する何らかの有機体、あるいは、目標を破壊したり、またはそれらを無害にしたり、またはそれらをより容易に認識可能にしたり、またはより容易に弁別できるようにする活動媒体を含むが、これだけに限られない。
【００１１】
分解可能な泡に運動材料を埋め込むことにより、宇宙資産の破壊に反撃したり（例えば、大きな軌道を回る残骸をより小さい破壊力の少ない大きさに分解する）、または到来弾道ミサイルペイロードにおいてデコイからの弾頭を弁別するためにこの運動媒体の散布を制御することができる。
【００１２】
紫外線の触媒作用により昇華する媒体は、目標に運動媒体を配送するのに使用されるかもしれない伝統的な方法（例えば機械的な配送メカニズム）の重量、構造、および複雑さを著しく減らす。重量および複雑が軽減されることから、この配送媒体は、いくつかの、またはさらに何百という衛星がコンスタレーション防衛システムに必要とされる場合に特に有益となる。重量および費用節減に加えて、この泡の利点は多く、必要とされる何らかの形状をサポートするために、泡を注入したり、吹き付けたり、形成したり、成型したり、容易に切断したり、または製造したりできるので、どんなペイロードの形状にでも適合できる。
【００１３】
有機および／または無機の泡は、（機械的におよび昇華させるために）ドーピングされ、軌道に打ち上げられている運動媒体をうまくサポートするために特定の環境の周波数を減らし、減衰させる。いったん軌道に乗ると、ペイロードシュラウドが開き、それによってこの構造媒体を宇宙の強烈な紫外線環境にさらすことになる。この紫外線エネルギーは、（ドーピングされた）泡の分解に触媒作用を及ぼし、それによって目標に配送されることになる運動媒体を露出させる。泡は、光照射反応の自然傾向を強調するように設計されており、光照射反応は、宇宙において容易に利用できる低い波の紫外線（２９０ｎｍ未満）に対し最も揮発を伴い起こり、オゾンにより自然に濾過される。この自然特性は、材料が宇宙の紫外線環境にさらされたとき昇華する一方で、地上で製造され、処理されている間は安定しているという価値を加える。
【００１４】
ここで記述するように、泡は、高エネルギー電磁放射、好ましくは紫外線放射、一般的には約１，０００ｎｍ（１μｍまたは１０-6メートル）より小さく、好ましくはは約１００ｎｍ（１０-7メートル）より小さいものによって分解可能である。好ましい実施形態においては、高エネルギーは、２９０ｎｍ未満の低い波の紫外線を含む。記述は紫外線放射に関して与えられているが、当業者であれば、Ｘ線、ガンマ線、および宇宙線を含むがそれだけに限られないより高いエネルギー光子も泡を分解するのに使用してもよいことを理解するであろう。
【００１５】
いくつかの材料は紫外線の触媒作用により昇華する媒体の開発のために選ばれて利用される。同時に、産業では、紫外線反応ベースとして短鎖（プラスチック）および長鎖（ゴム）重合体、塩化ビニルならびにポリカーボンを使用する。これらの材料に特有の性質、例えば、強度、靭性および引き裂き抵抗力は、超高分子量の分子のために生じ、分子は原子間の化学（共有）結合により、互いに保持されている。通常のポリエチレンフィルムは、およそ３００、０００の分子量をもっている。比較として、二酸化炭素および水はそれぞれ４４および１８の分子量をもっている。そもそも、ポリエチレンのような重合体の分解は、分子量の低下ならびに、引っ張り強度、靭性および伸長率のような機械的な特性の喪失を伴って、それぞれの分子における炭素結合の破壊から生じる。よって、分解可能な添加物を含む製品は、このように２５万から平均４，０００未満に分子量のかなりの減少を示し、材料の急速な破壊に至る。この分子破壊の結果は発熱反応であり、したがって科学を支配する質量およびエネルギーの保存を保っている。適当な有機の泡ベースの例は、発泡または押し出し成型ポリスチレン、ポリエチレン、ポリプロピレン、プロピレン共重合体、およびポリウレタンがあるが、それだけに限られない。
【００１６】
例えば、紫外線、熱、酸素、およびフィルム応力（例えば引っぱりおよび引き裂き）などのような多数の要因により分解性ポリエチレンのパッケージングの分解を開始することができる。いったん分解が開始されると、それは持続する。一般的に、酸素は、触媒作用を利用した事象において必要とされるが、最近、科学者は大気とは無関係に処理を促進するために泡物質内に含まれる過酸化物で大気を代用するようになった。分解の最終結果は、アルコール、二酸化炭素および水（反応後の副産物）の放出である。
【００１７】
このような反応の簡単な一例として、オゾン生成の例を表すことができる。オゾンは、すぐれた酸化剤であり、積極的に有機の泡に対し破壊作用を開始する。オゾンは、Ｏ2とＮＯ2の混合体が明るい光にさらされたときに形成することができる。
【化１】
2008517248.tif 000003
【００１８】
このプロセスにおける中間生成物として形成される単一の酸素原子Ｏ0は極度に反応しやすく、容易に不純物を除去する分子に付着する。大気のケースにおいては、Ｏ0は容易に利用できるＯ2に付着し、オゾン、Ｏ3を形成する。これは、光照射化学反応の簡単な一例である。同様に簡単かつ直接適用できるものとして、低周波数の波長のもとで解離しているオゾンと二酸化物分子との紫外線合成反応がある。この基本的な化学ルールは、泡に対し破壊作用を開始し、分解する酸素分子を放出する鍵である。１つの実施形態において、泡には酸化剤、すなわち遊離基開始剤が埋め込まれ、それらは低い波の（２９０ｎｍ未満）紫外線照射によりエネルギーを与えられる。いったん紫外線エネルギーが遊離基の形態で酸化剤を放出すると、宇宙におけるＯ2または他の不純物除去物質の欠如により、これらの遊離基が唯一利用できる不純物を取り除くことができる分子、すなわち、泡の破壊作用の開始を続けることが保証される。
【００１９】
したがって、泡には、低い波（２９０ｎｍより小さく２４０ｎｍまで）の紫外線放射によりエネルギーを与えられる酸化剤が埋め込まれることが望ましい。２つの化学物質およびそれらの一般的な化合物が容易に利用できる酸化剤として適格であり、それらは有機の泡を破壊するために紫外線により効果的に放出することができる。これらは、酸素およびフッ素である。泡を分解するのに使用される結果として得られる化学的な化合物、例えば遊離基開始剤の例としては、酸化アルミニウム、過酸化水素水、三酸化硫黄、フッ化硫黄、一酸化二窒素、ベンジルジメチルケタール、トリメチルベンゾフェノン、アルファーヒドロキシケトン、ベンゾフェノン、過酸化ベンゾイル、ジイソプロピルパーオキシジカーボネート、ジ−ｓｅｃ−ブチルパーオキシジカーボネート、ｔ−ブチルパーオキシピバル酸、過酸化カプリリル、過酸化ラウロイル、過酸化アセチル、ｔ−ブチルパーオキシイソブチレート、ｐ−クロロベンゾイルペルオキシド、過酸化ヒドロキシヘプチル、ジ−ｔ−ブチルフタル酸、ｔ−ブチルペルアセタート、ｔ−ブチルパーオキシイソプロピルカーボネート、ｔ−ブチルベルベンゾアート、ジクミルパーオキサイド、ｔ−ブチルヒドロパーオキサイド、メチルエチルケトンパーオキサイド、ジ−ｔ−ブチルペルオキシド、ｐ−メンタンヒドロペルオキシド、ピナンヒドロペルオキシド、クメンヒドロペルオキシド、2,5−ジメチル−2,5−ジヒドロペルオキシド、ｔ−ブチルヒドロペルオキシド−９０、過硫酸アンモニウム過硫酸カリウム、2,2’−アゾビスイソブチロニトリル、4,4’−アゾビス（シクロヘキサンカルボニトリル）、4,4’−アゾビス（４−シアノ吉草酸）および2,2’−アゾビス（2−メチルプロパン）のようなアゾ化合物、トリゴノックス２１（登録商標）（ｔ−ブチルパーオキシ−2−エチルヘキサン酸、Ａｋｚｏ＆Ｎｏｂｅｌから入手できる）、およびパーカドックス１６（登録商標）（ジ（ｔ−ブチルシクロヘキシル）パーオキシジカーボネート、Ａｋｚｏ＆Ｎｏｂｅｌから入手できる）、ならびにジクミルパーオキサイド、ジオクタノイルパーオキサイド、ジミリスチルペルオキシド、ジラウロイルペルオキシド、1,1’−ジ（ｔ−ブチルペルオキシシクロヘキサン）、ｔ−ブチルペルオキシジ酢酸エチル、およびクミルヒドロペルオキシドのような有機過酸化物を含むが、これだけに限られない。いくつかの実施形態において、過酸化ベンゾイルは高い反応性のため遊離基開始剤の放出を行うのに好まれる。
【００２０】
泡は、ドーピングされ、軌道に打ち上げられている宇宙ハードウェアをうまくサポートするために特定の環境の周波数を減らし、減衰させる。いったん軌道に乗ると、ペイロードシュラウドが開き、それによって泡を宇宙の強烈な紫外線環境にさらすことになる。この紫外線エネルギーは、泡の分解に触媒作用を及ぼし、それによって泡に埋め込まれた運動媒体を露出させることになる。先に述べたように、ガンマ、Ｘ線および宇宙線も泡の分解に触媒作用を及ぼすのに使用されてもよい。
【００２１】
適当な有機の泡ベースは、発泡または押し出し成型ポリスチレン、ポリエチレン、ポリプロピレン、プロピレン共重合体、およびポリウレタンである。
【現時点での最新技術】
【００２２】
現在、単一の構成要素であるヒットトゥキル運動エネルギー兵器が上述のアウトラインに沿ったショットガンアプローチに対して選択されている。これらの構成要素は複雑であり、機能するために正確な追尾、追跡、誘導、および制御を必要とする。ショットガンアプローチに伴う問題は、破壊を確実にするのに十分なエネルギーを与えるために目標までの長い弾道飛行時間に対して運動媒体の散布を制御することと、最新技術に匹敵する十分軽く簡易な配送メカニズムである。
【００２３】
現在、昇華する泡の産業は移動の物理的環境に対抗して地球に向かうペイロードに使用されるパッケージング材料を分解することに制限されている。最近、ポリスチレンのような有機の泡は、大気中で分解するだけでなく利用可能な酸素分子が限られている水中および土壌においても分解することを環境の圧力は要求している。この理由から、泡を放出し、破壊作用を及ぼすのにほとんど光または熱を必要としない酸化剤でパッケージング材料をコーティングするのに、最近では努力が払われている。
【００２４】
図１は、泡媒体が榴散弾の弾頭を備えた運動媒体を封入している一般的な宇宙ミッションの１つの実施形態を例示している。ミッションは、何らかの所望の目標に対してこの榴散弾の弾頭を発射することである。いったん泡が低い波の紫外線エネルギーにさらされると、紫外線エネルギーは封入している泡を昇華させ、すなわち分解させ、それによって目標に衝突する運動媒体を露出することになる。封入は、いかなる動く部品も必要とせず、散布制御デバイスとして機能し、それによってできるだけ多量のエネルギーを目標に対して配送するために運動媒体を“密接にパックされた”ままにすることができる。上のシナリオでは、封入された媒体ショットはシュート−シュート戦略において第１の発射であり、敵のＩＣＢＭにより使用されることが多いデコイを排除するための障害物除去メカニズムとして機能する。これらのデコイの排除により、第２の発射の弁別の労力が取り除かれ、それによって、そのミッションの複雑さを大いに軽減し、結果として成功確率を増加させることになる。
【００２５】
図１に図示されているように、第１の発射１００は、分解可能な泡１２４の中に分散された運動媒体１２２を備えるペイロード１２０を含むロケット推進式のビークル１１０から成り立っている。ペイロード１２０はペイロードの放出が望まれるまでクラムシェルシュラウド１３０内に含まれており、ペイロード放出が望まれる時に、クラムシェルシュラウドは開き、ペイロードを放出する。本質的に宇宙のような高度にあり、紫外線および他の適当な放射により泡を分解可能な位置１４０で、運動媒体１２２が、到来ミサイル（示されていない）を伴っているデコイ（示されていない）を迎撃することが意図されている。図１Ａは、泡分解前および泡分解後のペイロード１２０を描写しており、泡１２４が（１２４’における）より小さいサイズに分解されるときに運動媒体１２２が放出され、こうして（１２０’における）ペイロードのサイズを減少する。最終的に、泡１２４’は完全に分解され、ペイロード１２０’は消滅し、運動媒体１２２だけが残ることになる。
【００２６】
第２の発射１５０は、当初クラムシェルシュラウド１８０によって保護された迎撃運動弾頭１７０を含むロケット推進式のビークル１６０から成り立っている。いったんデコイが位置１４０において運動媒体１２２によって取り除かれていると、迎撃弾頭１７０は位置１４２において到来ミサイルを目標にし、破壊することができる。
【００２７】
図１および１Ａにおいて描写されるシナリオは、１つの実施形態に向けられており、すなわち、シュート−シュートシナリオに向けられており、泡に封入された媒体（ペイロード１２０）は発射される２つのビークルのうちの１つであり、（泡に封入された媒体を含む）第１のビークルは、デコイを破壊することが意図され、第２のビークルは、到来ミサイルを破壊することが意図されている。他の実施形態においては、泡に封入された媒体を含むビークルは発射された唯一のビークルであり、デコイと到来ミサイルとの両方を破壊することが意図されている。この実施形態においては、この意図を成し遂げるために運動媒体１２２には十分な質量がある。どのシナリオを使用するかについての決定は、防衛に残され、ここでの教示に基づいており、防衛は、到来ミサイルおよび１つ以上の可能性のあるデコイに対し防衛するために、最良の戦略とともに、ペイロード１２０のサイズおよび運動媒体１２２の量を考案することができる。
【００２８】
多くのケースにおいて、目標において運動媒体の必要とされる密度を保つために予め定められたレートで泡は分解する。高エネルギー放射の波長範囲およびその強度ならびに高エネルギー放射にさらされるときに使用される特定の泡の分解レートを知ることにより、泡の分解時に、運動媒体の必要とされる密度がそのミッション成し遂げるために十分であるように設計者はペイロードを構成することができる。
【００２９】
宇宙利用のために昇華する構造のペイロードの泡を使用することの利点には以下のものが含まれる。
【００３０】
重量：現在の衛星および宇宙のペイロード材料は、発泡させた有機の泡より約３０倍重い。重量は、軌道上にハードウェアを配送するのにかかる費用に正比例する。同時に、地球の同期軌道にハードウェアを配置するのにおよそ１ポンド当たり２０，０００＄から１００、０００＄かかる。
【００３１】
費用：封入された運動媒体防衛ＫＶを使用すると、２機のアクティブ追尾ヒットトゥキルＫＶを使用する現在のシュート−シュートシナリオの５分の１の費用となることがおおまかに見積もられる。これは１ミッションにつき数百万ドルに言い換えられる。
【００３２】
増加した命中率：ＩＣＢＭデコイの排除は“真の”目標に衝突するように設計された運動弾頭のミッションを簡単にすることにより到来ＩＣＢＭに対して成功率を大幅に増加させる。真の目標の弁別は到来ＩＣＢＭを撃破することに際して、最も難しい問題であることが広く認識されている。ここでの教示は、有効なミッドコース防衛システムに対して役に立つ構成要素を提供する。
【００３３】
宇宙残骸：昇華する泡は硬い宇宙残骸を残さず、この特定の実施形態は既存の宇宙残骸を取り除くのに使用することができる。
【００３４】
可能性のある目標は、ＩＣＢＭ、ＩＣＢＭデコイ、遠隔ビークル、衛星、および不要な宇宙残骸（軌道から外れて使用されていない衛星への使用を含む）を含むが、それだけに限られない。特定の適用がデコイおよび衛星を破壊するのに向けられているが、それらは破壊するのに、運動エネルギーをあまり必要としないからである。
【００３５】
ここで開示された反兵器のための兵器技術は、デコイを配備して到来する遠隔のバス、またはビークル、（ＲＶ）に対して“プレショット”されることがある。このプレ配備、またはプレショットは、後続迎撃体（ＫＶ）１７０のために弁別する役割を果たすことにより、何らかのデコイおよび偽の到来ミサイルを位置１４０において破壊することにより、ＫＶが位置１４２において真の到来ミサイルだけに対処することができるようになる。
【００３６】
有機の泡がここで開示された。しかしながら、無機の泡が代わりに使用されてもよく、または有機の材料とのドーピングされた結合で使用され、分解レートおよび泡混合物の強度を修正／制御／改良してもよい。
【例】
【００３７】
ポリスチレンの押し出し成型ブロックが、チャンバ窓を備えた大気制御および光制御された保護チャンバに配置される。チャンバは地球の大気を除去するためアルゴンで充填される。ポリスチレンには、過酸化水素水、酸化アルミニウム、三酸化硫黄のような酸化物が注入される。材料の安定性が確認される。宇宙をシミュレートするため真空が引かれる。材料の安定性が再度確認される。チャンバ窓が、高周波紫外線にさらされる（水銀ランプが低い波の紫外線をシミュレートする）。材料の安定性が再度確認される。チャンバ窓は低周波紫外線にさらされる。泡の昇華が観察される。
【００３８】
上述の実験では、真空ではない状態で実施された。過酸化水素水バスが使用された。水銀ランプが使用された。材料は、水銀光源のもとで数秒で分解した。
【産業応用性】
【００３９】
分解可能な泡の使用は、宇宙において運動媒体を推進するために軽量メカニズムを提供し、到来ミサイルならびに、衛星および宇宙残骸のような他の目標を迎撃することに利用が見出されることが期待される。
【図面の簡単な説明】
【００４０】
【図１】図１は、本発明の実施形態にしたがって目標を迎撃し、それを破壊するために分解可能な泡に封入された運動媒体を使用するツーショットシーケンスを図示している概略図である。
【図１Ａ】図１Ａは、図１の一部分の拡大図である。
【図１】
2008517248.tif 000004
【図１Ａ】
2008517248.tif 000005
【国際調査報告】
2008517248.tif 000006
2008517248.tif 000007
2008517248.tif 000008